(57)【要約】      （修正有）【課題】表面が滑らかに整えられ、磁石の交換も容易な磁気ブロック、その製造方法、及び磁気マジックキューブを提供する。【解決手段】ブロック本体１１、中空磁石１２、及び固定部材１３を備え、ブロック本体１１の各面に、中空磁石１２の大きさ及び深さに相当する穴１４が設けられ、中空磁石１２が、固定部材１３によって、ブロック本体１１の穴１４に固定して装着される磁気ブロックからなり、中空磁石１２を設置するため、ブロック本体１１の各面に中空磁石１２の大きさ及び深さに相当する穴１４を設ける磁気ブロック、その製造方法、及び磁気マジックキューブ。【選択図】図１
2016193188.tif 000002
【特許請求の範囲】
【請求項１】
ブロック本体、中空磁石、及び固定部材を備える磁気ブロックであって、
前記ブロック本体の各面に、前記中空磁石の大きさ及び深さに相当する穴を設け、
前記中空磁石を、前記固定部材によって、前記ブロック本体の穴に固定して装着することを特徴とする磁気ブロック。
【請求項２】
前記ブロック本体は、木製ブロック又はプラスチック製ブロックであることを特徴とする請求項1に記載の磁気ブロック。
【請求項３】
前記ブロック本体は、立方体、直方体、平行六面体、三角柱、または円筒形であることを特徴とする請求項1又は2に記載の磁気ブロック。
【請求項４】
前記固定部材は、ネジであることを特徴とする請求項1〜3のいずれかに記載の磁気ブロック。
【請求項５】
磁気ブロック本体の各面に、中空磁石の大きさ及び深さに相当する穴を設け、
前記中空磁石を、前記磁気ブロック本体の各面に設けられた前記穴に設置し、
固定部材によって、前記中空磁石を、前記磁気ブロックの穴に固定して装着する工程を含む磁気ブロックの製造方法。
【請求項６】
前記ブロック本体は、木製ブロック又はプラスチック製ブロックであることを特徴とする請求項5に記載の磁気ブロックの製造方法。
【請求項７】
前記ブロック本体は、立方体、直方体、平行六面体、三角柱、または円筒形であることを特徴とする請求項5又は6に記載の磁気ブロックの製造方法。
【請求項８】
前記固定部材は、ネジであることを特徴とする請求項5〜7のいずれかに記載の磁気ブロックの製造方法。
【請求項９】
請求項1〜4のいずれかに記載の磁気ブロック、及び磁気柱体を備え、
前記磁気ブロックの磁石面を、前記磁気柱体の磁石面に合わせて、前記磁気ブロックの磁石の陽極を、前記磁気柱体の磁石の陰極に合わせ、又は前記磁気ブロックの磁石の陰極を、前記磁気柱体の磁石の陽極に合わせて、
前記磁気柱体の磁石の周囲に磁界を生じることにより、形状が異なる前記磁気ブロックを、前記磁気柱体に付着させ、様々な形となることを特徴とする磁気マジックキューブ。
【発明の詳細な説明】
【技術分野】
【０００１】
本発明は、磁気式ブロック玩具の製造技術に関し、特に磁気ブロック、その製造方法、及び磁気式マジックキューブに関する。
【背景技術】
【０００２】
従来のブロックは、磁気のない木材で作られ、組み合わせの際には、簡単な二次元形状しかできなかった。また、既存の磁気式ブロック玩具は、接着剤などの化学物質によってブロックの外部表面上に磁石を付着することによって形成され、このような磁石を付着させたブロックは、表面が凹凸となる。しかも磁石は、磁気が消失した場合、交換が容易ではない。
【発明の概要】
【発明が解決しようとする課題】
【０００３】
本発明は、上記従来技術における課題に対し、表面が滑らかに整えられ、磁石の交換も容易な磁気ブロック、その製造方法、及び磁気マジックキューブを提供することを目的とする。
【課題を解決するための手段】
【０００４】
本発明は、上記の課題を解決するため、以下の技術内容を有する。
【０００５】
本発明は、
ブロック本体、中空磁石、及び固定部材を備え、
上記ブロック本体の各面に、上記中空磁石の大きさ及び深さに相当する穴が設けられ、
上記中空磁石が、上記固定部材によって、上記ブロック本体の穴に固定して装着されることを特徴とする磁気ブロックを提供する。
【０００６】
好ましくは、上記ブロック本体は、木製ブロック又はプラスチック製ブロックである。
好ましくは、上記ブロック本体は、立方体、直方体、平行六面体、三角柱、または円筒形である。
好ましくは、上記固定部材は、ネジである。
【０００７】
また、本発明は、
磁気ブロック本体の各面に、中空磁石の大きさ及び深さに相当する穴を設け、
上記中空磁石を、上記磁気ブロック本体の各面に設けられた上記穴に設置し、
固定部材によって、上記中空磁石を、上記磁気ブロックの穴に固定して装着することを含む磁気ブロックの製造方法を提供する。
【０００８】
好ましくは、上記ブロック本体は、木製ブロック又はプラスチック製ブロックである。
好ましくは、上記ブロック本体は、立方体、直方体、平行六面体、三角柱、または円筒形である。
好ましくは、上記固定部材は、ネジである。
【０００９】
また、本発明は、
磁気ブロック及び磁気柱体を備え、
上記磁気ブロックの磁石面を、上記磁気柱体の磁石面に合わせて、上記磁気ブロックの磁石の陽極を、上記磁気柱体の磁石の陰極に合わせ、又は上記磁気ブロックの磁石の陰極を、上記磁気柱体の磁石の陽極に合わせて、
上記磁気柱体の磁石の周囲に磁界を生じることにより、形状が異なる上記磁気ブロックを、上記磁気柱体に付着させ、様々な形となることを特徴とする磁気マジックキューブを提供する。
【００１０】
上述のとおり、本発明における磁気ブロックは、磁気ブロック本体の各面に、中空磁石の大きさ及び深さに相当する穴を設け、固定部材によって、上記中空磁石を、上記磁気ブロックの穴に固定して装着する。これにより、表面が滑らかに整えられ、磁石の交換も容易な磁気ブロックが実現できる。
【図面の簡単な説明】
【００１１】
以下、本発明の実施形態又は先行技術の技術内容をより詳しく説明するため、実施形態又は先行技術について説明の際に使用する図面を、簡単に紹介する。勿論、以下の図面は、実施形態の一例であり、これらの図面に基づいて、当業者が以下の図面以外の構成に容易に想到することは明らかである。
【００１２】
【図１】本発明の一実施形態における磁気ブロックの構造模式図である。
【図２】本発明の他の実施形態における磁気ブロックの構造模式図である。
【図３】本発明の他の実施形態における磁気ブロックの構造模式図である。
【図４】本発明の他の実施形態における磁気ブロックの製造方法のフローチャート図である。
【図５】本発明の他の実施形態における磁気マジックキューブの構造模式図である。
【図６】本発明の他の実施形態における磁気マジックキューブの構造模式図である。
【図７】本発明の他の実施形態における磁気マジックキューブの構造模式図である。
【発明を実施するための形態】
【００１３】
以下に、図面を参照して本発明の実施形態について説明する。勿論、これらの実施形態は、本発明の一部分であり、すべての実施例でないことは明らかである。本発明の実施形態から、当業者が容易に想到する実施形態も本発明の特許請求の範囲に属する。
【００１４】
本発明の実施形態では、ブロック本体の各面に凹凸がなく、磁石の交換も便利な磁気ブロック及びその製造方法を実現できる。
【００１５】
図1に示す磁気ブロックは、ブロック本体11、中空磁石12、及び固定部材13を備え、ブロック本体11の各面には、中空磁石12の大きさ、すなわち穴部分の面積を含む中空磁石の底面積及び深さ、すなわち中空磁石の厚さに相当する穴14が設けられ、
中空磁石12が、固定部材13によって、ブロック本体11の穴14に固定して装着される。
【００１６】
具体的には、上記実施形態において、中空磁石12を設置するため、ブロック本体11の各面に中空磁石12の大きさ及び深さに相当する穴14を設けることにより、磁石をブロック本体の表面に付着せず、ブロック本体の表面の凹凸をなくすことができる。そして、固定部材13によって、ブロック本体11の穴14に固定して装着されることにより、磁石を交換する場合、固定部材13を外すと磁石を簡単に交換できる。
【００１７】
上記固定部材は、ネジであっても良い。上記ブロック本体は、木製ブロック又はプラスチック製ブロックであっても良い。上記ブロック本体は、立方体、直方体、平行六面体、三角柱、または円筒形などの形状であっても良い。
【００１８】
図2に示されるのは、本発明の三角柱の磁気ブロックである。
図3に示されるのは、本発明の平行六面体の磁気ブロックである。
図4に示す磁気ブロックの製造方法は、
S101、磁気ブロック本体の各面に、中空磁石の大きさ及び深さに相当する穴を設け、
S102、中空磁石を、磁気ブロック本体の各面に設けられた上記穴に設置し、
S103、固定部材によって、上記中空磁石を、上記磁気ブロックの穴に固定して装着する工程を含む。
【００１９】
具体的には、上記製造方法において、中空磁石を設置するため、ブロック本体の各面に中空磁石の大きさ及び深さに相当する穴を設けることにより、磁石をブロック本体の表面に付着せず、ブロック本体の表面の凹凸をなくすことができる。そして、固定部材によって、ブロック本体の穴に固定して装着することにより、磁石を交換する場合、固定部材を外すことにより磁石を簡単に交換できるようになる。
【００２０】
上記の製造方法においては、上記固定部材は、ネジであっても良く、上記ブロック本体は、木製ブロック又はプラスチック製ブロックであっても良い。また、上記ブロック本体は、立方体、直方体、平行六面体、三角柱、または円筒形などの形状であっても良い。
【００２１】
図5に示す本発明の一実施形態における磁気マジックキューブは、
磁気ブロック51及び磁気柱体52を備え、
上記磁気ブロック51の磁石面を、上記磁気柱体52の磁石面に合わせて、上記磁気ブロック51の磁石の陽極を、上記磁気柱体52の磁石の陰極に合わせ、又は上記磁気ブロック51の磁石の陰極を、上記磁気柱体52の磁石の陽極に合わせて、
上記磁気柱体52の磁石は、周囲に磁界を生じることにより、形状が異なる上記磁気ブロック51を、上記磁気柱体52に付着させ、様々な形となる磁気マジックキューブが形成される。
【００２２】
図6及び図7に示されるのは、本発明の他の実施形態における磁気マジックキューブの構造模式図であり、本発明の磁気ブロックにより形成される磁気マジックキューブは、上記形状に限らず、磁気ブロックによって任意に組み合わせ可能である。
本発明に開示される磁気ブロック及び磁気マジックキューブには、様々な遊び方がある。
下記に一例を挙げる。
【００２３】
平面上に直立している磁気柱体は、外周（0°〜360°）に不均衡に負荷が掛かる場合、重い方向に傾斜し、倒れてしまう。磁気ブロックを磁気柱体に取り付ける場合、当該方向に重量が増え、磁気柱体又は磁気ブロックに磁気ブロックを取り付け続けると、重量も増え続ける。バランスを保つため、異なる方法（0°〜360°）の重量を増やしても、一旦直立している磁気柱体に、不均衡な負荷が掛かれると、重い方向に傾斜し、倒れてしまう。
【００２４】
磁気ブロック又は磁気柱体の磁石は、陽極及び陰極によって吸引力に最大値がある。磁気ブロックの数が増えるとその重量も増加し、地球重力によって鉛直方向への重力も増え続け、当該重力は磁石の吸引力の最大値を超える場合、磁気ブロックは、倒れてしまう。
【００２５】
上記の磁気ブロックを使ってゲームを行う場合、プレーヤーは平面上に直立している磁気柱体に形状の異なる磁気ブロックを取り付け、又は既に磁気柱体に取り付けられている磁気ブロックに、更に形状の異なる磁気ブロックを取り付ける。ここで、磁気柱体が倒れ、又は磁気ブロックが落ちると、そのプレーヤーは負ける。
【００２６】
プレーヤーが、サイコロを使ってゲームを進行することも可能である。サイコロの六面に、様々な指示を書いて、指示にしたがってゲームを進めることができる。
【００２７】
例えば、立方体のサイコロの有する六面の、各面に、異なる指示を書くことができる。例えば、
（1）一つの直方体の磁気ブロックを、磁気柱体又は既に磁気柱体に付けられた磁気ブロックに取り付ける。
（2）一つの三角柱の磁気ブロックを、磁気柱体又は既に磁気柱体に取り付けられた磁気ブロックに取り付ける。
（3）一つの平行六面体の磁気ブロックを、磁気柱体又は既に磁気柱体に付けられた磁気ブロックに取り付ける。
（4）磁気柱体又は既に磁気柱体に取り付けられた磁気ブロックの一方向に、2つの任意形状の磁気ブロックを取り付ける。
（5）磁気柱体又は既に磁気柱体に取り付けられた磁気ブロックの一方向の同一縦方向に、2つの任意形状の磁気ブロックを取り付ける。
（6）一回停止する。
【００２８】
プレーヤーは、サイコロを振って、上記の指示によってゲームを進める。
【００２９】
プレーヤーは、磁気ブロックを自由に組み合わせて自分が好きな3次元模型又は2次元形状を作ることができる。また、平面上に直立する磁気柱体（平面と90°になる）の底部を、中空の正方形の固定板の中に設置し、長方形の柱体の底部に正方形の固定板を加えることにより、底部の面積が増え、支持面積も大きくなるため、磁気柱体は、重力の不均衡により傾倒し難くなる。これにより、プレーヤーは、より多くの形状の異なる磁気ブロックを異なる方向に取り付けて、より自由な模型を作ることができる。
【００３０】
以上本発明の構成及びその利点を詳しく説明したが、添付する請求項に規定された本発明の技術思想と権利範囲を逸脱しない場合には、様々な変更、代替及び変換を行うことができることを理解すべきである。さらに、本発明の技術範囲は、本明細書に述べた過程、装置、手段、方法及び工程の具体的な実施形態に制限されない。本発明によれば、ここで記載の実施形態と基本的に同じ機能を実現し或いはそれと基本的に同じ効果を奏する、従来開発され又は将来に開発される過程、装置、手段、方法或いは工程を使用することができることは、当業者が本発明の開示内容から容易に理解することができる。
【図１】
2016193188.tif 000003
【図２】
2016193188.tif 000004
【図３】
2016193188.tif 000005
【図４】
2016193188.tif 000006
【図５】
2016193188.tif 000007
【図６】
2016193188.tif 000008
【図７】
2016193188.tif 000009